Podtech/llm-jp-corpus-v4-ja_patent huggingface dataset:
【手続補正書】
【提出日】平成18年9月22日(2006.9.22)
【手続補正１】
【補正対象書類名】明細書
【補正対象項目名】特許請求の範囲
【補正方法】変更
【補正の内容】
【特許請求の範囲】
【請求項１】  遊技者が所定の遊技を行うことが可能な遊技機であって、
遊技進行を制御するとともに、遊技に供される電気部品を制御させるためのコマンドとしてのコマンドデータを出力するコマンド出力処理と、コマンドデータ出力開始後所定の期間が経過した後にコマンドデータの取込を指示する取込信号を出力する取込信号出力処理とを実行するコマンド出力手段を含む遊技制御手段と、
前記遊技制御手段からのコマンドに応じて前記電気部品を制御するための電気部品制御手段とを備え、
前記コマンド出力手段は、コマンドデータを出力して前記取込信号出力処理を実行し、該取込信号出力処理を実行した後、所定期間経過後に次のコマンドデータを出力し、
前記所定期間は、コマンドデータを出力してから取込信号を出力するまでの期間よりも長く、
前記コマンド出力手段は、前記取込信号出力処理を実行した後、前記所定期間が経過するまでコマンドデータの出力を維持し、
前記電気部品制御手段は、所定周期で発生するタイマ割込に応じた定期割込処理、および前記遊技制御手段からの取込信号に応じて発生するコマンド受信割込に応じたコマンド受信処理を含む割込処理を実行し、
前記コマンド受信処理は、前記定期割込処理よりも優先して実行される
ことを特徴とする遊技機。
【請求項２】  電気部品制御手段は、コマンド受信処理が終了するまではマスク可能な割込の発生を許可しない
請求項１記載の遊技機。
【請求項３】  コマンド受信処理は、定期割込処理を中断して実行可能である
請求項１または請求項２記載の遊技機。
【請求項４】  割込処理には、割込禁止解除処理が含まれる
請求項１から請求項３のうちのいずれかに記載の遊技機。
【請求項５】  コマンド受信処理を含む割込処理では、最後に割込禁止解除処理が実行される
請求項４記載の遊技機。
【請求項６】  定期割込処理では、最初に割込禁止解除処理が実行される
請求項４記載の遊技機。
【請求項７】  コマンド受信処理には、入力されたコマンドが適正であるか否かを判定するコマンド判定処理が含まれる
請求項１から請求項６のうちのいずれかに記載の遊技機。
【請求項８】  遊技制御手段は、所定の制御処理を所定の制御期間内で実行し、１回の制御期間内で複数個のコマンドを出力することが可能である
請求項１から請求項７のうちのいずれかに記載の遊技機。
【請求項９】  遊技制御手段は、発生要因が異なる複数の制御について、１回の制御期間内に複数のコマンドを出力することが可能である
請求項８記載の遊技機。
【請求項１０】  遊技制御手段は、取込信号を出力する場合に、所定時間のオンデータと所定時間のオフデータとを出力する
請求項１ないし請求項９記載の遊技機。
【手続補正２】
【補正対象書類名】明細書
【補正対象項目名】００１２
【補正方法】変更
【補正の内容】
【００１２】
【課題を解決するための手段】
本発明による遊技機は、遊技者が所定の遊技を行うことが可能な遊技機であって、遊技進行を制御するとともに、遊技に供される電気部品を制御させるためのコマンドとしてのコマンドデータを出力するコマンド出力処理と、コマンドデータ出力開始後所定の期間が経過した後にコマンドデータの取込を指示する取込信号を出力する取込信号出力処理とを実行するコマンド出力手段を含む遊技制御手段と、遊技制御手段からのコマンドに応じて電気部品を制御するための電気部品制御手段とを備え、コマンド出力手段は、コマンドデータを出力して取込信号出力処理を実行し、取込信号出力処理を実行した後、所定期間経過後に次のコマンドデータを出力し、所定期間は、コマンドデータを出力してから取込信号を出力するまでの期間よりも長く、コマンド出力手段は、取込信号出力処理を実行した後、所定期間が経過するまでコマンドデータの出力を維持し、電気部品制御手段が、所定周期で発生するタイマ割込に応じた定期割込処理、および遊技制御手段からの取込信号に応じて発生するコマンド受信割込に応じたコマンド受信処理を含む割込処理を実行し、コマンド受信処理は、定期割込処理よりも優先して実行されることを特徴とする。
【手続補正３】
【補正対象書類名】明細書
【補正対象項目名】０３１２
【補正方法】変更
【補正の内容】
【０３１２】
【発明の効果】
請求項１記載の発明では、遊技機を、遊技制御手段が電気部品を制御させるためのコマンドとしてのコマンドデータを出力するコマンド出力処理と、マンドデータ出力開始後所定の期間が経過した後にコマンドデータの取込を指示する取込信号を出力する取込信号出力処理とを実行するコマンド出力手段を含み、コマンド出力手段は、コマンドデータを出力して取込信号出力処理を実行し、取込信号出力処理を実行した後、所定期間経過後に次のコマンドデータを出力し、所定期間は、コマンドデータを出力してから取込信号を出力するまでの期間よりも長く、コマンド出力手段は、取込信号出力処理を実行した後、所定期間が経過するまでコマンドデータの出力を維持し、電気部品制御手段が、所定周期で発生するタイマ割込に応じた定期割込処理、および遊技制御手段からの取込信号に応じて発生するコマンド受信割込に応じたコマンド受信処理を含む割込処理を実行し、コマンド受信処理は、定期割込処理よりも優先して実行されるように構成したので、電気部品制御手段は、確実に遊技制御手段からのコマンドを受信することができるという効果がある。その結果、電気部品制御手段は、遊技進行に応じた制御を確実に実行することができる。
【手続補正書】
【提出日】平成18年2月10日(2006.2.10)
【手続補正１】
【補正対象書類名】明細書
【補正対象項目名】００１３
【補正方法】変更
【補正の内容】
【００１３】
本発明に係わる透明導電性フィルムの好ましい態様として、高屈折率透明薄膜層（Ｂ）中の水素原子と金属原子の存在比〔水素原子数（Ｈ）／金属原子数（Ｍ）〕が０．１〜０．２である前記透明導電性フィルムが挙げられる。また、高屈折率透明薄膜層（Ｂ）の金属酸化物が酸化インジウム、酸化インジウム−錫、および酸化錫の中から選ばれた少なくとも１種の酸化物である前記透明導電性フィルムが挙げられる。
【手続補正２】
【補正対象書類名】明細書
【補正対象項目名】００２３
【補正方法】変更
【補正の内容】
【００２３】
本発明に係わる透明導電性フィルムの表面抵抗率は０．５〜８Ω/□であることが好ましい。０．７〜４Ω/□であることが更に好ましい。表面抵抗率が上記の範囲内である場合、良好なシールド特性と光学特性とを両立することが可能となる。表面抵抗率が上記の範囲よりも低い場合、電磁波シールド特性自身は良好であるものの、光線透過率が著しく低下するために好ましくない。また、表面抵抗率が上記の範囲よりも高い場合は、光学特性は良好になるものの、電磁波シールド特性が悪くなるために好ましくない。
【手続補正３】
【補正対象書類名】明細書
【補正対象項目名】００２５
【補正方法】変更
【補正の内容】
【００２５】
本発明では透明導電層として、一部に金属薄膜層（Ｃ）を用いている。そのため、金属薄膜層（Ｃ）と高屈折率透明薄膜層（Ｂ）との厚みを光学的に最適化しても金属薄膜層による光の吸収、反射を避けることはできない。従って、一般的には、本発明で用いる透明導電層の全光線透過率は８０％を超えることはない。
【手続補正４】
【補正対象書類名】明細書
【補正対象項目名】００２６
【補正方法】変更
【補正の内容】
【００２６】
本発明で用いる高屈折率透明薄膜層（Ｂ）としては、屈折率が１．８以上の材料により形成することが好ましい。このような高屈折率透明薄膜層（Ｂ）を形成しうる具体的な材料としては、インジウム、チタン、ジルコニウム、ビスマス、錫、亜鉛、アンチモン、タンタル、セリウム、ネオジム、ランタン、トリウム、マグネシウム、ガリウム等の酸化物、これらの酸化物の混合物、複合酸化物や硫化亜鉛等が挙げられる。これら酸化物あるいは硫化物は、金属と酸素、硫黄との間の化学量論的な組成にずれがあっても、光学特性を大きく変えない範囲にあれば差し支えない。これらの材料の中で、酸化インジウム、酸化インジウム−錫（ＩＴＯ）、酸化錫は透明性が高く、屈折率が高いことに加えて、成膜速度が速く、金属薄膜層（Ｃ）との密着性が良好であることから好ましく用いることができる。
【手続補正５】
【補正対象書類名】明細書
【補正対象項目名】００２８
【補正方法】変更
【補正の内容】
【００２８】
上記の成膜方法によって得られる高屈折率透明薄膜層（Ｂ）の金属酸化物中の水素原子と金属原子の存在比〔水素原子数（Ｈ）／金属原子数（Ｍ）〕が０．０５〜０．４５であることが好ましい。上記の範囲内で良好な電磁波シールド能、透明性、耐久性を得るためには、金属酸化物または金属硫化物から形成された高屈折率透明薄膜層（Ｂ）中の水素原子と金属原子の存在比〔水素原子数（Ｈ）／金属原子数（Ｍ）〕が０．１〜０．２であることが更に好ましい。上記の範囲で高屈折率透明薄膜層（Ｂ）の金属酸化物中に適切な量の水素を含有させることは、高屈折率透明薄膜層（Ｂ）の外的要因に対する安定性を上げ、塩素に代表される活性物質による銀層の劣化の進行を防止することになる。また上記の範囲以上の水素を添加することは、高屈折率透明薄膜層（Ｂ）の良好な透明度が得られない。
【手続補正６】
【補正対象書類名】明細書
【補正対象項目名】００３４
【補正方法】変更
【補正の内容】
【００３４】
上記の如くして製造される、本発明に係わる透明導電性フィルムは、全光線透過率が４０％以上であることが好ましい。５０％以上であることが更に好ましく、５５％以上が最も好ましい。全光線透過率が上記の値よりも低い場合、これを電磁波シールド用フィルターとして用いたときに、ディスプレイの画面が暗くなり好ましくない。また、本発明において用いる透明導電性薄膜には金属薄膜層が用いられているので全光線透過率が７８％を超えることは一般的にはない。また、全体の厚みは２５〜２５０μｍ程度、表面抵抗率は０．５〜８Ω／□程度である。
【手続補正書】
【提出日】平成17年11月25日(2005.11.25)
【手続補正１】
【補正対象書類名】明細書
【補正対象項目名】特許請求の範囲
【補正方法】変更
【補正の内容】
【特許請求の範囲】
【請求項１】
インクを蓄える加圧室と、該加圧室の壁面の少なくとも一部を形成する振動板と、該振動板に当接し、電気信号の印加により前記加圧室内に圧力変動を発生させる圧電素子と、前記圧力室にインクを供給する流路と、インク滴を前記加圧室から噴射するオリフィスを有するノズルを複数備えたオンデマンド型マルチノズルインクジェットヘッドにおいて、
前記圧電素子を駆動する駆動波形として、圧電素子を直線的に変位させる収縮時間Ｔｆと、その収縮を保持する保持時間Ｔｏと、再び圧電素子をもとの状態とするために直線的に変位させる復元時間Ｔｒからなる台形状のパルス波形を用い、圧電素子の復元時間Ｔｒを、（ヘルムホルツ固有振動周期Ｔｒ−保持時間Ｔｏ）の１／２の時間から、当該時間にヘルムホルツ固有振動周期Ｔｈの１／２を加算した時間を範囲とすることを特徴とするオンデマンド型マルチノズルインクジェットヘッドの駆動方法。
【請求項２】
前記圧電素子の保持時間Ｔｏは、ヘルムホルツ固有振動周期Ｔｈよりも短いことを特徴とする請求項１記載のオンデマンド型マルチノズルインクジェットヘッドの駆動方法。
【手続補正２】
【補正対象書類名】明細書
【補正対象項目名】００１１
【補正方法】変更
【補正の内容】
【００１１】
【課題を解決するための手段】
上記課題を解決するための請求項１記載の発明は、インクを蓄える加圧室と、該加圧室の壁面の少なくとも一部を形成する振動板と、該振動板に当接し、電気信号の印加により前記加圧室内に圧力変動を発生させる圧電素子と、前記圧力室にインクを供給する流路と、インク滴を前記加圧室から噴射するオリフィスを有するノズルを複数備えたオンデマンド型マルチノズルインクジェットヘッドにおいて、前記圧電素子を駆動する駆動波形として、圧電素子を直線的に変位させる収縮時間Ｔｆと、その収縮を保持する保持時間Ｔｏと、再び圧電素子をもとの状態とするために直線的に変位させる復元時間Ｔｒからなる台形状のパルス波形を用い、圧電素子の復元時間Ｔｒを、（ヘルムホルツ固有振動周期Ｔｒ−保持時間Ｔｏ）の１／２の時間から、当該時間にヘルムホルツ固有振動周期Ｔｈの１／２を加算した時間を範囲とすることを特徴とし、これによりインク滴の飛翔インク滴長さを短くできるようにした。
また、本発明の請求項２記載の発明は、請求項１記載の発明において、前記圧電素子の保持時間Ｔｏは、ヘルムホルツ固有振動周期Ｔｈよりも短いことを特徴とする。
【手続補正書】
【提出日】平成18年1月6日(2006.1.6)
【手続補正１】
【補正対象書類名】明細書
【補正対象項目名】発明の名称
【補正方法】変更
【補正の内容】
【発明の名称】インクジェットヘッド及びその製造方法、フォトマスク並びに画像形成装置
【手続補正２】
【補正対象書類名】明細書
【補正対象項目名】特許請求の範囲
【補正方法】変更
【補正の内容】
【特許請求の範囲】  【請求項１】  インク滴を吐出するノズル孔と、このノズル孔が連通するインク流路と、このインク流路の壁面を形成する振動板と、この振動板に対して長手方向及び／又は短手方向で非平行な状態で対向する電極とを備え、前記振動板と電極との間の静電力で振動板を変位させて前記ノズル孔からインク滴を吐出するインクジェットヘッドにおいて、前記振動板に対して前記電極を非平行な状態で設ける部材は、前記振動板と電極との間のギャップ形状に対応する凹部を形成したフォトレジスト層をマスクとするエッチングで前記凹部が形成されていることを特徴とするインクジェットヘッド。  【請求項２】  請求項１に記載のインクジェットヘッドにおいて、前記振動板を形成した単結晶シリコン部材と前記電極を設けた単結晶シリコン部材とを接合していることを特徴とするインクジェットヘッド。  【請求項３】  請求項１に記載のインクジェットヘッドにおいて、前記振動板を形成した単結晶シリコン部材と前記電極を設けた部材とを陽極接合で接合していることを特徴とするインクジェットヘッド。  【請求項４】  インク滴を吐出するノズル孔と、このノズル孔が連通するインク流路と、このインク流路の壁面を形成する振動板と、この振動板に対して長手方向及び／又は短手方向で非平行な状態で対向する電極とを備え、前記振動板と電極との間の静電力で振動板を変位させて前記ノズル孔からインク滴を吐出するインクジェットヘッドの製造方法において、前記電極を設ける部材上にフォトレジスト層を形成し、このフォトレジスト層を光透過率の異なるパターンを有するフォトマスクを介して露光し現像して前記振動板と電極との間のギャップ形状に対応する凹部を形成し、この凹部を形成したフォトレジスト層をマスクとするエッチングで前記電極を設ける部材に凹部を形成することを特徴とするインクジェットヘッドの製造方法。  【請求項５】  請求項４に記載のインクジェットヘッドの製造方法において、前記フォトレジスト層を縮小露光方式で露光するときに焦点を前記フォトマスクと前記フォトレジストとの間に合わせることを特徴とするインクジェットヘッドの製造方法。  【請求項６】  請求項４に記載のインクジェットヘッドの製造方法において、前記フォトレジスト層を等倍露光方式で露光するときに、露光装置からの射出光を光拡散手段を介して前記フォトマスクに照射することを特徴とするインクジェットヘッドの製造方法。  【請求項７】  インクジェットヘッドの振動板と電極との間のギャップ形状に対応する凹部を前記電極を設ける部材に形成するために用いるフォトマスクであって、前記凹部に対応する光透過率の異なるパターンを有することを特徴とするフォトマスク。  【請求項８】  請求項７に記載のフォトマスクであって、透光性基板上に膜形成した遮光性材料の膜厚を異ならせて前記光透過率の異なるパターンを形成していることを特徴とするフォトマスク。  【請求項９】  請求項７に記載のフォトマスクであって、透光性基板上に膜形成した遮光性材料の開口率を異ならせて前記光透過率の異なるパターンを形成していることを特徴とするフォトマスク。  【請求項１０】 請求項１ないし３のいずれかに記載のインクジェットヘッドを搭載していることを特徴とする画像形成装置。【手続補正３】
【補正対象書類名】明細書
【補正対象項目名】０００１
【補正方法】変更
【補正の内容】
【０００１】    【産業上の利用分野】  本発明はインクジェットヘッド及びその製造方法、フォトマスク並びに画像形成装置に関し、特に静電型インクジェットヘッド及びその製造方法、それに用いるフォトマスク並びに画像形成装置に関する。【手続補正４】
【補正対象書類名】明細書
【補正対象項目名】００１３
【補正方法】変更
【補正の内容】
【００１３】  本発明は上記の点に鑑みてなされたものであり、高精度に形成された非平行ギャップを有するインクジェットヘッド及びその製造方法並びにその製造に用いるフォトマスク、同インクジェットヘッドを備える画像形成装置を提供することを目的とする。
【手続補正５】
【補正対象書類名】明細書
【補正対象項目名】００１４
【補正方法】変更
【補正の内容】
【００１４】    【課題を解決するための手段】  上記の課題を解決するため、本発明に係るインクジェットヘッドは、振動板と電極との間のギャップ形状に対応する凹部を形成したフォトレジスト層をマスクとするエッチングで電極を設ける凹部が形成されている構成とした。本発明に係る画像形成装置は、本発明に係るインクジェットヘッドを搭載したものである。【手続補正６】
【補正対象書類名】明細書
【補正対象項目名】００６３
【補正方法】変更
【補正の内容】
【００６３】  なお、上記各実施形態においては、振動板と電極が長手方向で平行であり振動板と電極の平面形状を矩形とした例で説明したが、振動板と電極が長手方向においても非平行であってもよいし、またその平面形状を台形、三角形とすることもできる。また、本発明をインクジェットヘッドに適用した例で説明しているが、振動板と電極とを用いるその他の静電型アクチュエータにも同様に適用することができる。さらに、振動板／液室基板中に形成したノズル孔、加圧室、流体抵抗部、共通インク室の形状、配置、形成方法は本発明の趣旨を越えない範囲で適切に変更することができる。また、上述したインクジェットヘッドは、前述したように、プリンタ、ファクシミリ、複写装置、プロッタ等の画像記録装置（画像形成装置）に搭載することができる。
【手続補正７】
【補正対象書類名】明細書
【補正対象項目名】００６４
【補正方法】変更
【補正の内容】
【００６４】    【発明の効果】  以上説明したように、本発明に係るインクジェットヘッドによれば、振動板と電極との間のギャップ形状に対応する凹部を形成したフォトレジスト層をマスクとするエッチングで電極を設ける凹部が形成されている構成としたので、高精度に振動板と電極とを非平行状態で配置するための凹部を形成でき、高精度な非平行ギャップが得られる。また、本発明に係る画像形成装置によれば、本発明に係るインクジェットヘッドを搭載したので、高精度な非平行ギャップを有するヘッドを備える画像形成装置が得られる。
【手続補正書】
【提出日】平成18年8月8日(2006.8.8)
【手続補正１】
【補正対象書類名】明細書
【補正対象項目名】請求項１
【補正方法】変更
【補正の内容】
【請求項１】
廃水をリアクタに導入する廃水流入管と、前記廃水に含まれる有機物を還元分解処理する嫌気性微生物層と、還元分解処理後の処理ガスと処理水とを分離する気固液分離部と、処理ガスを排出するガス排出管と、処理水を流出する越流堰とを有する嫌気性廃水処理装置において、前記越流堰の手前に前記処理水に浮遊した嫌気性微生物のグラニュールの流出を抑制する流出防止板を具備したことを特徴とする嫌気性廃水処理装置。
【手続補正２】
【補正対象書類名】明細書
【補正対象項目名】００１１
【補正方法】変更
【補正の内容】
【００１１】
【課題を解決するための手段】
請求項１の発明に係わる嫌気性廃水処理装置は、廃水をリアクタに導入する廃水流入管と、前記廃水に含まれる有機物を還元分解処理する嫌気性微生物層と、還元分解処理後の処理ガスと処理水とを分離する気固液分離部と、処理ガスを排出するガス排出管と、処理水を流出する越流堰とを有する嫌気性廃水処理装置において、前記越流堰の手前に前記処理水に浮遊した嫌気性微生物のグラニュールの流出を抑制する流出防止板を具備したことを特徴とする。
【手続補正３】
【補正対象書類名】明細書
【補正対象項目名】００２２
【補正方法】変更
【補正の内容】
【００２２】
また、越流堰２の手前には、処理水に浮遊したグラニュールの流出を抑制するための流出防止板３が設置されている。処理水はこの流出防止板３と衝突し、処理水に浮遊したグラニュールを下方に沈殿させ、その後に処理水を越流堰２から流出させる。
【手続補正４】
【補正対象書類名】明細書
【補正対象項目名】００２３
【補正方法】変更
【補正の内容】
【００２３】
図１（ｂ）に示すように、越流堰２はリアクタ１の内部側面に設けられ、流出防止板３は越流堰２から所定の間隔を保ってリアクタ１の内側に設けられている。また、図１（ｃ）に示すように越流堰２には切欠部９が設けられており、処理水は流出防止板３と越流堰２との間隔を通って越流堰２の切欠部９から越流堰内に流入する。流出防止板３と越流堰２との所定の間隔は、越流堰２に流入する越流速度がグラニュールの沈殿速度より遅くなる条件を満たす間隔としている。つまり、流出防止板３と越流堰２とで形成される流路がグラニュールの沈降速度より遅くなる流路となるように、流出防止板３の設置位置は決められる。
【手続補正書】
【提出日】平成18年8月7日(2006.8.7)
【手続補正１】
【補正対象書類名】明細書
【補正対象項目名】００１８
【補正方法】変更
【補正の内容】
【００１８】
次に、図４は、本発明の実施の形態の第３例を示している。本例の場合には、凹部２０ｃの開口寄り部分を、曲率半径がＲ28である第一の円弧状凹面部２８により、中間部分を曲率半径がＲ29である第二の円弧状凹面部２９により、底部を曲率半径がＲ30である球状凹面部３０により、それぞれ形成し、隣り合う凹面部２８〜３０の端部同士を滑らかに連続させている。この様な本例の場合も、上記凹部２０ｃの本体部分の深さＨ20c をこの凹部２０ｃの開口部の直径Ｄ20c の０．３〜０．８倍｛Ｈ20c ＝（０．３〜０．８）Ｄ20c ｝の範囲に規制する事で、フランジ６の根本部分並びに上記凹部２０ｃの内径面部分の強度を確保しつつ、この凹部２０ｃの容積を大きくして、ハブ２ｄの軽量化を十分に図れる。
【手続補正書】
【提出日】平成18年6月27日(2006.6.27)
【手続補正１】
【補正対象書類名】明細書
【補正対象項目名】特許請求の範囲
【補正方法】変更
【補正の内容】
【特許請求の範囲】
【請求項１】  表面に毛羽立ち繊維層を有するマット本体を備え、
熱可塑性樹脂からなるシート基材層の下面に着色層が積層された成形用シートが、前記マット本体に重ね合わされた状態で、前記成形用シートの周縁部を含む所要部が加圧加熱されることにより、前記毛羽立ち繊維層が圧潰されるとともに、その圧潰状態の毛羽立ち繊維層に、前記成形用シートの所要部が融着一体化されて、そのシートにより樹脂凹凸板が形成されてなることを特徴とする樹脂凹凸板付きマット。
【請求項２】  表面に毛羽立ち繊維層を有するマット本体と、
熱可塑性樹脂からなるシート基材層の下面に着色層が積層された成形用シートとを準備し、
前記マット本体上に前記成形用シートを重ね合わせた状態で、前記成形用シートの周縁部を含む所要部を加圧加熱することにより、前記毛羽立ち繊維層を圧潰するとともに、その圧潰状態の毛羽立ち繊維層に、前記成形用シートの所要部を融着一体化して、そのシートにより樹脂凹凸板を形成するものとした樹脂凹凸板付きマットの製造方法。
【手続補正書】
【提出日】平成18年11月7日(2006.11.7)
【手続補正１】
【補正対象書類名】明細書
【補正対象項目名】特許請求の範囲
【補正方法】変更
【補正の内容】
【特許請求の範囲】
【請求項１】
給紙部と、印刷部と、排紙部とを備え、給紙部から給送される印刷用紙に印刷部で所定の印刷を実行し、印刷済み用紙を排紙部にて排出するプリンタであって、
前記給紙部および印刷部は、当該プリンタの内部と外部空間とを区画する箱体の内部に配置され、
前記排紙部は、前記箱体の側面に出没可能な排紙受け部を備え、該排紙受け部は、没状態で前記印刷済み用紙を受け、出状態で該排紙受け部内の印刷済み用紙を外部に取り出し可能であることを特徴とするプリンタ。
【請求項２】
請求項１において、前記箱体の天面は開閉可能であり、当該プリンタの印刷条件設定および印刷実行のために要する構成要素は、前記天面が開かれたときに露呈し、閉状態の天面に覆われる位置にあることを特徴とするプリンタ。
【請求項３】  請求項１または２において、閉状態の前記天面に覆われる各構成要素は、プリンタの操作部、ディスプレイ、情報記憶媒体の装着部、給紙部の給紙トレイおよび給紙用口であることを特徴とするプリンタ。
【請求項４】  請求項１から３のいずれか１項において、当該プリンタの電源は、前記天面を閉から開に移行するときに自動的に投入されるように構成されていることを特徴とするプリンタ。
【請求項５】  請求項１から４のいずれか１項において、前記排紙受け部は、前記出没動作を行う駆動手段を備え、該駆動手段を駆動させることで該排紙受け部が出没することを特徴とするプリンタ。
【請求項６】  請求項５において、前記駆動手段は印刷終了信号を受けて当該排紙受け部を出状態に移行するように構成されていることを特徴とするプリンタ。
【請求項７】  請求項１から６のいずれか１項において、前記箱体は伸縮可能な脚を備えていることを特徴とするプリンタ。
【請求項８】  請求項１から７のいずれか１項において、前記排紙受け部は、その底面に、該排紙受け部内に排送された印刷済み用紙と該底面との間に間隙を作るための間隙形成部が設けられていることを特徴とするプリンタ。
【請求項９】  請求項１から８のいずれか１項において、前記箱体は家具調の外観構造より成ることを特徴とするプリンタ。
【請求項１０】  請求項１から９のいずれか１項において、プリンタはインクジェットプリンタであることを特徴とするプリンタ。
【手続補正書】
【提出日】平成18年9月15日(2006.9.15)
【手続補正１】
【補正対象書類名】明細書
【補正対象項目名】請求項５
【補正方法】変更
【補正の内容】
【請求項５】  請求項４に記載の貯水槽において、
前記底壁パネルの内側に前記底壁補強材を突出させ、
前記側壁パネルの内側に突出した前記側壁補強材と前記底壁パネルの内側に突出した前記底壁補強材とを連結する底壁側壁補強連結材を設けた、
ことを特徴とする貯水槽。
【手続補正２】
【補正対象書類名】明細書
【補正対象項目名】請求項７
【補正方法】変更
【補正の内容】
【請求項７】  請求項６に記載の貯水槽において、
前記天井パネルの内側に前記天井補強材を突出させ、
前記側壁パネルの内側に突出した前記側壁補強材と前記天井パネルの内側に突出した前記天井補強材とを連結する側壁天井補強連結材を設けた、
ことを特徴とする貯水槽。
【手続補正３】
【補正対象書類名】明細書
【補正対象項目名】請求項９
【補正方法】変更
【補正の内容】
【請求項９】  請求項８に記載の貯水槽において、
前記天井パネルの内側に前記天井補強材を突出させ、
前記側壁パネルの内側に突出した前記側壁補強材と前記天井パネルの内側に突出した前記天井補強材とを連結する側壁天井補強連結材を設けた、
ことを特徴とする貯水槽。
【手続補正４】
【補正対象書類名】明細書
【補正対象項目名】００２１
【補正方法】変更
【補正の内容】
【００２１】
また、側壁パネル１１Ｂの側壁板部１２の上側に所定数の取付孔１２ｂが設けられ、各側面フランジ部１３に所定数の取付孔１３ａが設けられるとともに、下面フランジ部１４の取付孔１５ａに対応する部分に、所定数の取付孔１４ａが設けられている。
１６Ｄは側壁縦補強材を示し、平面形状がＩ字形で、側壁パネル１１Ａ，１１Ｂの側面フランジ部１３に挟持されるものであり、取付孔１３ａに対応する部分に取付孔１６ａが設けられ、貯水槽内に突出する上側の部分に取付孔１６ｂが設けられ、貯水槽内に突出する中間の部分に取付孔１６ｃが設けられるとともに、貯水槽内に突出する下端の部分に取付孔１６ｄが設けられている。
【手続補正５】
【補正対象書類名】明細書
【補正対象項目名】００２２
【補正方法】変更
【補正の内容】
【００２２】
１９はパッキンを示し、側壁パネル１１Ａと側壁パネル１１Ｂとの間を水密に封止するものであり、取付孔１４ａ，１５ａに対応する部分に図示を省略した所定数の取付孔１９ａが設けられている。
３１Ａは引張材を示し、対向する一方の側壁縦補強材１６Ｄに架設されるものであり、取付孔１６ｃに対応する両端部分に取付孔３１ａが設けられている。
３１Ｂは引張材を示し、対向する他方の側壁縦補強材１６Ｄに、引張材３１Ａの間を通るように架設されるものであり、取付孔１６ｃに対応する両端部分に取付孔３１ａが設けられている。
４１は架台を示し、所定数の取付孔４１ａが設けられている。
【手続補正６】
【補正対象書類名】明細書
【補正対象項目名】００２９
【補正方法】変更
【補正の内容】
【００２９】
６１は底壁側壁補強連結材を示し、底壁補強材５および側壁補強材１６Ｅの取付孔５ｂ，１６ｅに対応する部分に取付孔６１ａが設けられている。
６２は側壁天井補強連結材を示し、側壁補強材１６Ｅおよび天井補強材２６の取付孔１６ｆ，２６ｂに対応する部分に取付孔６２ａが設けられている。
なお、各部は、前述したように、ボルト、ナットおよびワッシャなどで連結される。
【手続補正７】
【補正対象書類名】明細書
【補正対象項目名】００３４
【補正方法】変更
【補正の内容】
【００３４】
また、図６の第５実施形態において、上下方向の側壁パネル１１Ａ，１１Ｂの間に側壁補強材としての側壁横補強材を設け、側壁横補強材の幅を側壁にかかる荷重に応じた幅としたり、対向する側壁横補強材の間に引張材を張架させることにより、側壁の強度をより一層向上させることができる。
そして、４枚の側壁パネルの接合部分に底壁補強材６と同様な側壁補強材を使用することにより、前述した効果を得ることができる。
さらに、側壁縦補強材１６Ｄの下端部を架台４１に固定する固定金具は、例示の他、同様に機能する他の固定金具であってもよい。
【手続補正書】
【提出日】平成18年10月25日(2006.10.25)
【手続補正１】
【補正対象書類名】明細書
【補正対象項目名】特許請求の範囲
【補正方法】変更
【補正の内容】
【特許請求の範囲】
【請求項１】  レーザー光を用いたサーマルイメージングプロセスにより画像パターンを受像要素に転写するためのものであって、基材と、その上に順次形成された、光熱変換層、そして前記光熱変換層の作用により加熱されて溶融し、前記受像要素にパターン状に転写される画像成分を含む転写層とを備えたドナーシートにおいて、
前記転写層の画像成分が撥インク性又は撥溶剤性の化合物を最適化された量で含有していることを特徴とするドナーシート。
【請求項２】  透明な基板と、その基板の上の所定の位置に配置された複数色の画素と、相隣れる画素どうしを隔離する仕切りパターンとを含むカラーフィルタにおいて、
前記基板上の仕切りパターンが、請求項１に記載のドナーシートの転写層と前記基板の表面とを密着させ、引き続いて、レーザー光を用いたサーマルイメージングプロセスにより、前記ドナーシートの転写層の画像成分を前記仕切りパターンに対応するパターンで転写することによって形成されたものであることを特徴とするカラーフィルタ。
【請求項３】  透明な基板と、その基板の上の所定の位置に配置された複数色の画素と、相隣れる画素どうしを隔離する仕切りパターンとを含むカラーフィルタを製造する方法であって、下記の工程：
前記基板の表面に予め定められたパターンで薄膜状ブラックマトリックスを形成し、
前記基板のブラックマトリックス側の表面に、基材及びその上に順次形成された、光熱変換層、そして前記光熱変換層の作用により加熱されて溶融し、前記基板にパターン状に転写される画像成分を含む転写層とを備えたドナーシートの転写層を密着させ、
レーザー光を用いたサーマルイメージングプロセスにより、前記ブラックマトリックスのパターンに対応して前記ドナーシートの基材側からレーザー光を照射し、前記ドナーシートの転写層の画像成分を加熱により溶融させて前記ブラックマトリックス上に堆積させ、そして
形成された仕切りパターンにより囲まれた開口部にインクジェット法で所定の色を有するインキを充填して画素を形成すること、
を含んでなることを特徴とするカラーフィルタの製造方法。
【請求項４】  透明な基板と、その基板の上の所定の位置に配置された複数色の画素と、相隣れる画素どうしを隔離する仕切りパターンとを含むカラーフィルタを製造する方法であって、下記の工程：
前記基板の表面にブラックマトリックス形成材料の薄膜を被覆し、
前記基板と、基材及びその上に順次形成された、光熱変換層、そして前記光熱変換層の作用により加熱されて溶融し、前記基板にパターン状に転写される画像成分を含む転写層を備えたドナーシートとを、前記薄膜状ブラックマトリックス形成材料とドナーシートの転写層とが密着するように重ね合わせ、
レーザー光を用いたサーマルイメージングプロセスにより、前記ドナーシートの基材側から、所望とするブラックマトリックスのパターンに対応してレーザー光を照射し、前記ドナーシートの転写層の画像成分を加熱により溶融させて前記薄膜状ブラックマトリックス形成材料上に転写し、
前記基板の薄膜状ブラックマトリックス形成材料の表面にパターン状に転写された画像成分をマスクとして、露出しているブラックマトリックス形成材料をエッチングにより除去し、そして
前記画像成分及びその下地のブラックマトリックス形成材料から形成された仕切りパターンにより囲まれた開口部にインクジェット法で所定の色を有するインキを充填して画素を形成すること、
を含んでなることを特徴とするカラーフィルタの製造方法。
【請求項５】  透明な基板と、その基板の上の所定の位置に配置された複数色の画素と、相隣れる画素どうしを隔離する遮光用仕切りパターンとを含むカラーフィルタを製造する方法であって、下記の工程：
前記基板と、基材及びその上に順次形成された、光熱変換層、そして前記光熱変換層の作用により加熱されて溶融し、前記基板にパターン状に転写される画像成分を含む転写層を備えたドナーシートとを、基板の表面とドナーシートの転写層とが密着するように重ね合わせ、
レーザー光を用いたサーマルイメージングプロセスにより、前記ドナーシートの基材側から、所望とするブラックマトリックスのパターンに対応してレーザー光を照射し、前記ドナーシートの転写層の画像成分を加熱により溶融させて前記基板上に転写し、そして
前記画像成分から形成された遮光用仕切りパターンにより囲まれた開口部にインクジェット法で所定の色を有するインキを充填して画素を形成すること、
を含んでなることを特徴とするカラーフィルタの製造方法。
【請求項６】  透明な基板と、その基板の上の所定の位置に配置された複数個の画素電極と、相隣れる画素電極どうしを隔離する仕切りパターンと、前記画素電極上に形成された少なくとも１色の発光層と、前記発光層の上に形成された対向電極とを含む有機ＥＬ素子において、
前記基板上の仕切りパターンが、請求項１に記載のドナーシートの転写層と前記基板の表面とを密着させ、引き続いて、レーザー光を用いたサーマルイメージングプロセスにより、前記ドナーシートの転写層の画像成分を前記仕切りパターンに対応するパターンで転写することによって形成されたものであることを特徴とする有機ＥＬ素子。
【請求項７】  透明な基板と、その基板の上の所定の位置に配置された複数個の画素電極と、相隣れる画素電極どうしを隔離する仕切りパターンと、前記画素電極上に形成された少なくとも１色の発光層と、前記発光層の上に形成された対向電極とを含む有機ＥＬ素子を製造する方法であって、下記の工程：
前記基板の表面に予め定められたパターンで画素電極を形成し、
前記基板の画素電極側の表面に、基材及びその上に順次形成された、光熱変換層、そして前記光熱変換層の作用により加熱されて溶融し、前記基板にパターン状に転写される画像成分を含む転写層とを備えたドナーシートの転写層を密着させ、
レーザー光を用いたサーマルイメージングプロセスにより、前記仕切りパターンに対応して前記ドナーシートの基材側からレーザー光を照射し、前記ドナーシートの転写層の画像成分を加熱により溶融させて前記基板上に堆積させ、そして
形成された仕切りパターンにより囲まれた開口部にインクジェット法で所定の色を有する有機材料を充填して前記発光層を形成すること、
を含んでなることを特徴とする有機ＥＬ素子の製造方法。
【手続補正書】
【提出日】平成18年11月2日(2006.11.2)
【手続補正１】
【補正対象書類名】明細書
【補正対象項目名】図面の簡単な説明
【補正方法】変更
【補正の内容】
【図面の簡単な説明】
【図１】
本発明による緩衝装置の斜視図。
【図２】
弾性板の状態を示す斜視図。
【図３】
弾性板の状態を示す斜視図。
【図４】
弾性板の状態を示す斜視図。
【図５】
本発明による緩衝装置の物料投下時の状態を示す斜視図。
【図６】
従来の物料の投下状態を示す図。
【符号の説明】
１      弾性体板
１１      両側部分
２      止めバンド
２１      ループ
２２      穴部
３      ロックピン
４      収納袋
【手続補正書】
【提出日】平成18年9月1日(2006.9.1)
【手続補正１】
【補正対象書類名】明細書
【補正対象項目名】特許請求の範囲
【補正方法】変更
【補正の内容】
【特許請求の範囲】
【請求項１】
光ビームを被検査試料の表面が合焦点位置となるように照射すると共に前記被検査試料上の所定の検査領域を所定の周期で走査するように偏向させる投光光学系手段と、
前記走査する光ビームの光軸が描く形状の光ビームであって、互いに異なる領域が遮蔽された複数の光ビームを、前記被検査試料の表面から反射した前記光ビームから生成して結像する検出光学系手段と、
前記検出光学系手段で生成された前記複数の光ビームの一部に対応して設けられ、少なくとも分割された受光領域を有し、それぞれの受光領域に対応した検出信号を出力する第１の光学センサ手段と、
前記検出光学系手段で生成された前記複数の光ビームの少なくとも別の一部に対応して設けられ、少なくとも分割された受光領域を有し、それぞれの受光領域に対応した検出信号を出力する第２の光学センサ手段と、
前記被検査試料を搭載するステージ手段と、
前記ステージ手段と、前記投光光学系手段及び前記検出光学系手段とを相対的に移動させる駆動手段と、
前記駆動手段を制御すると共に前記光学センサ手段から出力される前記検出信号に基づいて前記被検査試料に形成された突起物の高さ情報を算出する制御手段とを備えたことを特徴とする突起物検査装置。
【請求項２】
請求項１において、
前記検出光学系手段は、
前記被検査試料の表面から反射した前記光ビームの一部を反射し、残りを透過することによって２本の光ビームを生成するハーフミラー手段と、
前記ハーフミラー手段によって生成された一方の光ビームの片側を遮蔽することによって半円状の光ビームを生成する第１の遮蔽板手段と、
前記ハーフミラー手段によって生成された他方の光ビームの片側を遮蔽することによって前記第１の遮蔽板手段によって遮蔽された領域と異なる領域の遮蔽された前記半円状の光ビームを生成する第２の遮蔽板手段と、
前記第１の遮蔽板手段によって生成された前記半円状の光ビームを結像する第１の結像レンズ手段と、
前記第２の遮蔽板手段によって生成された前記半円状の光ビームを結像する第２の結像レンズ手段とを含んで構成されることを特徴とする突起物検査装置。
【請求項３】
請求項１において、前記検出光学系手段は、
前記被検査試料の表面から反射した前記光ビームの光軸が描く直線と先端部の頂辺とが一致するように設けられ、前記被検査試料の表面から反射した前記光ビームをそれぞれの斜面で反射して互いに異なる領域が遮蔽された２本の半円状の光ビームを生成するナイフエッジプリズム手段と、
前記ナイフエッジプリズム手段で反射した前記半円状の光ビームの一方を結像する第１の結像レンズ手段と、
前記ナイフエッジプリズム手段で反射した前記半円状の光ビームの他方を結像する第２の結像レンズ手段とを含んで構成される突起物検査装置。
【請求項４】
請求項１において、
前記光ビームを前記所定の周期で直線的に往復走査するように偏向させるものとして音響光学偏向器を用いることを特徴とする突起物検査装置。
【請求項５】
請求項１において、
前記光ビームを前記所定の周期で直線的に往復走査する偏向させるものとしてポリゴンミラーを用いることを特徴とする突起物検査装置。
【請求項６】
請求項１において、
前記被検査試料の表面から反射した前記光ビームの０次光成分をカットし、０次光成分以外の高次の反射散乱光などを受光する受光素子手段を設けたことを特徴とする突起物検査装置。
【請求項７】
請求項１において、
前記制御手段は、前記光学センサ手段から出力される前記検出信号の総和を前記被検査試料の表面からの反射光輝度信号とし、この反射光輝度信号の値と所定値とを比較することによって前記被検査試料に形成された突起物の位置情報を求め、その位置情報に基づいてステージ手段を制御するようにしたことを特徴とする突起物検査装置。
【請求項８】
請求項１において、
前記制御手段は、前記第１の光学センサ手段の前記２分割された受光領域から出力される前記検出信号であって、前記光ビームの遮蔽されなかった領域側に対応する受光領域から出力されるものを第１の検出信号とし、前記光ビームの遮蔽された領域側に対応する受光領域から出力されるものを第２の検出信号とし、
前記第２の光学センサ手段の前記２分割された受光領域から出力される前記検出信号であって、前記光ビームの遮蔽されなかった領域側に対応する受光領域から出力されるものを第３の検出信号とし、前記光ビームの遮蔽された領域側に対応する受光領域から出力されるものを第４の検出信号とした場合に、
前記第１の検出信号から前記第２の検出信号を減算した値と前記第３の検出信号から前記第４の検出信号を減算した値との和を前記第１から第４までの検出信号の総和で除した第１の値を前記被検査試料に形成された突起物の高さ情報として算出することを特徴とする突起物検査装置。
【請求項９】
請求項８において、
前記制御手段は、前記第１の検出信号から前記第３の検出信号を減算した値と前記第２の検出信号から前記第４の検出信号を減算した値との和を前記第１から第４までの検出信号の総和で除した値を前記第１の値から減算することによって得られた値を前記被検査試料に形成された突起物の高さ情報として算出することを特徴とする突起物検査装置。
【請求項１０】
請求項８において、
前記制御手段は、前記第１の検出信号から前記第３の検出信号を減算した値と前記第２の検出信号から前記第４の検出信号を減算した値との和を前記第１から第４までの検出信号の総和で除した値が所定値よりも大きい場合に、前記第１の値をマスクすることによって得られた値を前記被検査試料に形成された突起物の高さ情報として算出することを特徴とする突起物検査装置。
【請求項１１】
請求項１から１０までのいずれか１において、
前記制御手段は、算出された前記高さ情報に基づいて前記被検査試料に形成された突起物の欠陥検査を行うことを特徴とする突起物検査装置。
【請求項１２】
請求項６において、
前記制御手段は、前記受光素子手段から出力される検出信号の値と所定値とを比較することによって前記被検査試料に形成された突起物の位置情報を求めるようにしたことを特徴とする突起物検査装置。
【請求項１３】
請求項７において、
前記制御手段は、前記突起物が球状をしている場合に、前記光学センサ手段から出力される前記反射光輝度信号の値と所定値とを比較することによって前記球状の突起物の中心位置情報及び大きさ情報の少なくとも一方を求めるようにしたことを特徴とする突起物検査装置。
【手続補正書】
【提出日】平成18年3月15日(2006.3.15)
【手続補正１】
【補正対象書類名】明細書
【補正対象項目名】特許請求の範囲
【補正方法】変更
【補正の内容】
【特許請求の範囲】
【請求項１】
遠隔操作が可能な空調システムにおいて、
第１室に設けられ、前記第１室の暖房を行う空調ユニットと、
第２室に設けられ、前記空調ユニットへの運転指令の入力を行なう操作装置と、
前記空調ユニットと前記操作装置との通信を行なう通信手段と、
を備え、
前記第１室と第２室との境界壁には光透過部が設けられ、前記通信手段は、前記通信を前記光透過部を介した光通信にて行なうことを特徴とする空調システム。
【請求項２】
前記光透過部が、前記境界壁に設けられたドアが有する光透過性部材で構成されていることを特徴とする請求項１記載の空調システム。
【請求項３】
前記光透過部が、前記境界壁に設けられた開口で構成されていることを特徴とする請求項１記載の空調システム。
【請求項４】
前記光透過部が、前記境界壁に設けられた光ファイバーで構成されていることを特徴とする請求項１記載の空調システム。
【請求項５】
前記通信手段が、光を反射又は屈折させる光中継手段を介して前記通信を行なうことを特徴とする請求項１記載の空調システム。
【請求項６】
前記光中継手段が、前記光透過部に設けられ光増幅機能を有する投受光装置で構成されたことを特徴とする請求項１記載の空調システム。
【手続補正２】
【補正対象書類名】明細書
【補正対象項目名】０００６
【補正方法】変更
【補正の内容】
【０００６】
【課題を解決するための手段及び作用・効果】
上記目的を達成するために本発明は、遠隔操作が可能な空調システムにおいて、第１室に設けられ、第１室の暖房を行う空調ユニットと、第２室に設けられ、空調ユニットへの運転指令の入力を行なう操作装置と、空調ユニットと操作装置との通信を行なう通信手段と、を備え、第１室と第２室との境界壁には光透過部が設けられ、通信手段は、通信を光透過部を介した光通信にて行なうことを特徴としている。
【手続補正３】
【補正対象書類名】明細書
【補正対象項目名】０００８
【補正方法】変更
【補正の内容】
【０００８】
また、本発明は、光透過部を、境界壁に設けられたドアが有する光透過性部材で構成してもよい。これにより、ドアを開けることなく空調ユニットの運転を操作することができるので、使い勝手性が向上する。
【手続補正４】
【補正対象書類名】明細書
【補正対象項目名】０００９
【補正方法】変更
【補正の内容】
【０００９】
また、本発明は、光透過部を、境界壁に設けられた開口で構成してもよい。これにより、ドアを開けることなく空調ユニットの運転を操作することができるので、使い勝手性が向上する。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】変更
【補正の内容】
【００１７】
通信手段が、光を反射又は屈折させる光中継手段を介して通信を行なうよう構成すれば、空調ユニット又は操作装置から発信された光の減衰を抑制又は光を増幅して空調ユニット又は操作装置に確実に伝達することができる。
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】変更
【補正の内容】
【００１９】
また、光透過部を、境界壁に設けられた光ファイバーで構成すれば、光ファイバーを自在に屈曲させて光中継することができるので、第１室が浴室であれば、その浴室のドアのガラリやドアとドア枠の微小の隙間を通して目立たない場所にコンパクトに設置することができる。
【手続補正１５】
【補正対象書類名】明細書
【補正対象項目名】００２０
【補正方法】変更
【補正の内容】
【００２０】
また、光中継手段を、光透過部に設けられ光増幅機能を有する投受光装置で構成すれば、弱くなった光を増幅して確実に光通信することができる。
【手続補正１６】
【補正対象書類名】明細書
【補正対象項目名】００２１
【補正方法】削除
【補正の内容】
【手続補正書】
【提出日】平成18年2月28日(2006.2.28)
【手続補正１】
【補正対象書類名】明細書
【補正対象項目名】特許請求の範囲
【補正方法】変更
【補正の内容】
【特許請求の範囲】
【請求項１】
複数の図柄を変動表示する変動表示手段と、
ゲーム毎に内部当選役を決定する内部当選役決定手段と、
前記内部当選役決定手段の決定結果と遊技者の停止操作とに基づいて前記変動表示手段の変動表示動作を停止制御する停止制御手段と、
遊技者にとって有利な状況の継続又は終了を決定する状況決定手段とを備え、
前記状況決定手段は、前記内部当選役決定手段が前記内部当選役として増加役を決定したときに、前記有利な状況の継続又は終了を決定することを特徴とする遊技機。
【請求項２】
請求項１記載の遊技機において、
前記所定の条件は、前記増加役の入賞が成立したこと、又は前記増加役の入賞が成立したときに発生する特別遊技状態が終了したことである遊技機。
【手続補正２】
【補正対象書類名】明細書
【補正対象項目名】００４２
【補正方法】変更
【補正の内容】
【００４２】
一の発生条件は、一般遊技状態の「ＮＴ」において、「ベルの小役」に内部当選すること（後述の図１８のＳ４１の判別が“ＹＥＳ”）、所定確率で当選する抽選において当選すること（後述の図１８のＳ４３の判別が“ＹＥＳ”）、及び“ベル−ベル−ベル”を有効ライン上に揃えること（後述の図２４のＳ１１５の判別が“ＹＥＳ”）である。この発生条件が成立することとなる確率は、「ベルの小役」に内部当選する確率（例えば、“1/3”）、抽選において当選することとなる確率（例えば、“1/40”）、及び“ベル−ベル−ベル”が有効ライン上に揃う確率（“1/6”）を掛けることにより、“1/720”となる。
【手続補正３】
【補正対象書類名】明細書
【補正対象項目名】００４８
【補正方法】変更
【補正の内容】
【００４８】
図４（２）は、「ＳＴ」において表示される画像の背景を示す。この背景は、近未来都市メダロポリスを表わしたものであり、後述の図５に示すように、このメダロポリスを背景として「停止順序」を報知する演出が行われる。
【手続補正４】
【補正対象書類名】明細書
【補正対象項目名】００８７
【補正方法】変更
【補正の内容】
【００８７】
図１２において、右のリール３Ｒの「停止制御位置」は、コードナンバー“０１”，“０５”，“１０”，“１４”又は“１８”のいずれかである。図２に示す図柄列において、これらに対応する図柄は、“ベル”である。
【手続補正５】
【補正対象書類名】明細書
【補正対象項目名】０１１３
【補正方法】変更
【補正の内容】
【０１１３】
一般遊技状態で「ベルの小役」に内部当選した場合には、Ｓ５４の処理において、図１６のＳ２０の停止操作が第１停止操作であるか否かを判別する。この判別が“ＹＥＳ”のときは、Ｓ５５の処理に移り、“ＮＯ”のときは、Ｓ６０の処理に移る。Ｓ５５の処理では、図１６のＳ１７の処理で決定したテーブル番号、及び第１停止操作が行われた停止ボタンに基づいて、“１５枚”のメダルが払出される「ベルの小役」の入賞成立の可能性があるかどうかを判別する。例えば、テーブル番号として“１”が選択されている場合、第１停止操作として左の停止ボタン７Ｌが操作された場合には、Ｓ５５の判別は、“ＹＥＳ”となる。他方、第１停止操作として中央又は右の停止ボタン７Ｃ、７Ｒが操作された場合には、Ｓ５５の判別は、“ＮＯ”となる。Ｓ５５の判別が“ＹＥＳ”のときは、Ｓ５６の処理に移り、“ＮＯ”のときは、Ｓ５７の処理に移る。
【手続補正６】
【補正対象書類名】明細書
【補正対象項目名】０１１４
【補正方法】変更
【補正の内容】
【０１１４】
Ｓ５６の処理では、当り用停止制御テーブル（図１２）、操作された停止ボタンに対応するリール、及び停止操作位置に基づいて滑りコマ数を決定する。例えば、左の停止ボタン７Ｌが操作され、停止操作位置が“０４”であるとき、滑りコマ数は、“４”と決定される。ここで、当り用停止制御テーブルを使用して停止制御を行うのは、Ｓ５５の判別が“ＹＥＳ”であり、センターライン８ｃに沿って“ベル−ベル−ベル”が並ぶ可能性があるためである。なお、前述のように、センターライン８ｃに沿って“ベル−ベル−ベル”が並ぶか否かが確定するのは、第２停止操作が行われたときである。従って、後述のように、Ｓ５６の処理の後、はずれ用の停止制御テーブル（図１３、図１４）が使用される場合がある。
【手続補正７】
【補正対象書類名】明細書
【補正対象項目名】０１２６
【補正方法】変更
【補正の内容】
【０１２６】
図２２のＳ９１の処理では、サブＣＰＵ７４は、「内部当選役コマンド」が「ＢＢ」に内部当選したことを示すかどうかを判別する。この判別が“ＹＥＳ”のときは、Ｓ９２の処理に移り、“ＮＯ”のときは、Ｓ９５の処理に移る。Ｓ９２の処理では、ＢＢ間ゲーム数カウンタの値を参照する。続いて、カウンタの値が“１”であるか、すなわちＢＢ遊技状態が終了したゲームの次のゲームでＢＢに内部当選したかどうかを判別する（Ｓ９３）。この判別が“ＹＥＳ”のときは、ＣＳＴ付きＢＢフラグをセットし（Ｓ９４）、図２１のＳ８１の処理に移り、“ＮＯ”のときは、図２１のＳ８５の処理に移る。ここで、ＢＢフラグとは、ＢＢに内部当選しているか否かを示すものである。また、ＣＳＴ付きＢＢ、ＮＳＴ付きＢＢとは、ＢＢ遊技状態が終了した後、夫々ＣＳＴ、ＮＳＴが発生することとなるＢＢを示す。